(57)【要約】【課題】蛍光ランプ及び代替ランプの双方に対応可能なランプソケット及びそれを用いた照明器具を提供する。【解決手段】ランプソケットＡは、蛍光ランプのランプピンに高周波電力を供給する給電用端子３，４及び受電用端子５からなる第１の給電経路と、代替ランプのランプピンに上記高周波電力と異なる所定の電力を供給する給電用端子３，４及び受電用端子６からなる第２の給電経路と、接続されるランプに従ってランプピンへの給電経路を第１の給電経路又は第２の給電経路の何れか一方に切り替えるスイッチ片４ｂとを備える。代替ランプが装着された場合には、代替ランプの口金に設けられた識別ピンによってスイッチ片４ｂが押されて、ランプピンへの給電経路が第１の給電経路から第２の給電経路に切り替えられる。【選択図】図１
2011204388.tif 000002
【特許請求の範囲】
【請求項１】
蛍光ランプの口金、又は前記蛍光ランプと外形寸法が同寸法に形成された代替ランプの口金の何れかが着脱自在に装着される口金受け部を備え、
前記口金受け部は、前記蛍光ランプのランプピンに高周波電力を供給する第１の給電経路と、前記代替ランプのランプピンに前記高周波電力と異なる所定の電力を供給する第２の給電経路と、接続されるランプに従ってランプピンが接続される給電経路を前記第１の給電経路又は前記第２の給電経路の何れか一方に切り替えるスイッチ部とを具備し、
前記代替ランプが装着された場合には、前記代替ランプの口金に設けられた突起部によって前記スイッチ部が押されて、ランプピンへの給電経路が前記第１の給電経路から前記第２の給電経路に切り替えられることを特徴とするランプソケット。
【請求項２】
請求項１記載のランプソケットを備えたことを特徴とする照明器具。
【発明の詳細な説明】
【技術分野】
【０００１】
本発明は、ランプソケット及びそれを用いた照明器具に関するものである。
【背景技術】
【０００２】
従来より、蛍光ランプを用いた既存の照明器具に取付可能な代替ランプとして、消費電力の少ないＬＥＤ（発光ダイオード）を光源としたＬＥＤランプが提供されているが、このような代替ランプの取付方法は各メーカーで統一されておらず、また代替ランプへの対応方法についてもメーカーごとに様々であった。
【０００３】
このような照明器具では、代替ランプに対応させた後であっても蛍光ランプや他のメーカーの代替ランプに交換する場合が想定されるが、この場合不点灯などの不具合が生じる可能性があることから、そのまま装着できないように誤装着を防止する手段が必要であった。そこで、ランプの誤装着を防止するために専用の口金を用いたＬＥＤ照明装置が提案されている（例えば特許文献１参照）。
【先行技術文献】
【特許文献】
【０００４】
【特許文献１】特開２００４−３０９２９号公報（段落［００２５］−段落［００３５］、及び、第１図−第２図）
【発明の概要】
【発明が解決しようとする課題】
【０００５】
上述の特許文献１に示したＬＥＤ照明装置では、専用の口金を用いて蛍光ランプとの互換性をなくすことでランプの誤装着は防止できるものの、例えばＬＥＤランプから蛍光ランプに交換する際にはランプソケットの交換が必要であった。つまり、本従来例のランプソケットは、蛍光ランプ及びＬＥＤランプの双方に対応できるものではなかった。
【０００６】
本発明は上記問題点に鑑みて為されたものであり、その目的とするところは、蛍光ランプ及び代替ランプの双方に対応可能なランプソケット及びそれを用いた照明器具を提供することにある。
【課題を解決するための手段】
【０００７】
本発明のランプソケットは、蛍光ランプの口金、又は蛍光ランプと外形寸法が同寸法に形成された代替ランプの口金の何れかが着脱自在に装着される口金受け部を備え、口金受け部は、蛍光ランプのランプピンに高周波電力を供給する第１の給電経路と、代替ランプのランプピンに高周波電力と異なる所定の電力を供給する第２の給電経路と、接続されるランプに従ってランプピンが接続される給電経路を第１の給電経路又は第２の給電経路の何れか一方に切り替えるスイッチ部とを具備し、代替ランプが装着された場合には、代替ランプの口金に設けられた突起部によってスイッチ部が押されて、ランプピンへの給電経路が第１の給電経路から第２の給電経路に切り替えられることを特徴とする。ここに、上記の外形寸法とは、ランプの長さ寸法及び口金のランプソケットへの取付部分に係る寸法のことをいう。
【０００８】
本発明の照明器具は、上記ランプソケットを備えたことを特徴とする。
【発明の効果】
【０００９】
蛍光ランプ及び代替ランプの双方に対応可能なランプソケット及びそれを用いた照明器具を提供することができるという効果がある。
【図面の簡単な説明】
【００１０】
【図１】本実施形態のランプソケットの一例を示す分解斜視図である。
【図２】（ａ）は同上の外観斜視図、（ｂ）は同上からカバー及びプランジャを取り外した状態の斜視図である。
【図３】同上に装着される代替ランプの一部省略せる外観斜視図である。
【図４】（ａ）〜（ｃ）は同上の動作を説明するための説明図である。
【図５】（ａ）〜（ｃ）は同上の動作を説明するための別の説明図である。
【図６】同上を用いた照明器具の一例を示す外観斜視図である。
【発明を実施するための形態】
【００１１】
本発明に係るランプソケット及び照明器具の実施形態を図面に基づいて説明する。なお、以下の説明では特に断りがない限り、図１中の矢印ａ−ｂ方向を前後方向、矢印ｃ−ｄ方向を左右方向、矢印ｅ−ｆ方向を上下方向として説明を行う。
【００１２】
図１は本実施形態のランプソケットＡの一例を示す分解斜視図であり、本ランプソケットＡは、ケース１と、プランジャ２と、給電用端子３，４と、受電用端子５，６とを主な構成要素として備える。
【００１３】
ケース１は、前面側が開口する箱状のボディ１０と、ボディ１０の前面開口を閉塞する形でボディ１０に取り付けられるカバー１１とで構成されており、ボディ１０及びカバー１１はともに合成樹脂成形品からなる。
【００１４】
ボディ１０の上壁部１０ａには、電線（図示せず）を挿通させるための複数（図１では３個）の電線挿入孔１０ｃが設けられている。また、ボディ１０の左右方向における両側壁部１０ｂ，１０ｂには、器具本体１００（図６参照）にランプソケットＡを取り付ける際に器具本体１００側に設けたリブ（図示せず）が挿通される挿通溝１０ｄ，１０ｄが、それぞれ前後方向に沿って設けられている。さらに、ボディ１０の底面部１０ｆには、ばね体７，８の後端部がそれぞれ固定される複数（図１では２個のみ図示しているが、実際には３個）のばね係止部１０ｅが前方に突出する形で設けられている。
【００１５】
カバー１１は、ボディ１０の前面開口と略同形状に形成された板状のカバー本体１１ａと、カバー本体１１ａのボディ１０側（後面側）に一体に設けられ、後述するプランジャ２の左右方向への移動を規制するとともに回転を規制するリブ１１ｂとを具備する。カバー本体１１ａには、プランジャ２を挿通させるための円形の挿通孔１１ｃが設けられるとともに、カバー１１をボディ１０に固定するための固定ねじ（図示せず）が挿通する一対のねじ挿通孔１１ｄ，１１ｄが設けられている。また、カバー本体１１ａには、ボディ１０の各挿通溝１０ｄに対応する部位に、各挿通溝１０ｄと連なる切欠溝１１ｅがそれぞれ設けられている。
【００１６】
プランジャ２は、ケース１と同様に合成樹脂成形品からなり、上記のカバー本体１１ａに設けた挿通孔１１ｃよりもわずかに小さい外径寸法に形成された円板状のプランジャ本体２１を有し、プランジャ本体２１のボディ１０側（後面側）には外鍔２２が一体に設けられている。プランジャ本体２１の前面（機能面）には、蛍光ランプ９’（図４（ａ）参照）又は後述の代替ランプ（例えばＬＥＤを光源とし、外形寸法が蛍光ランプと同寸法に形成されたＬＥＤランプなど）９（図３参照）のランプピン９１ａを挿通させる一対のピン挿通孔２１ａ，２１ａが設けられ、さらにこれらのピン挿通孔２１ａ，２１ａの上部には、代替ランプ９の口金９１に設けられた後述の識別ピン９１ｂを挿通させるピン挿通孔２１ｂが設けられている。このプランジャ２は、カバー本体１１の挿通孔１１ｃの開口端縁に外鍔２２が当接することで、前方への移動が規制されるようになっている。
【００１７】
給電用端子３は、弾性を有する導電性材料（例えば銅など）からなり、電線挿入孔１０ｃを通してボディ１０内に挿通された電線（図４（ａ）中の電源回路ＰＳ１，ＰＳ２側からの電線）が電気的に接続される受電端子片３ｂと、蛍光ランプ９’又は代替ランプ９のランプピン９１ａに接触して電力を供給する給電端子片３ａとが一体に折曲形成されている。そして、給電端子片３ａの後面側にはばね体７が取り付けられており、このばね体７のばね反力によって前方に弾性力が加えられた状態に配置されている（図２（ｂ）参照）。
【００１８】
給電用端子４は、給電用端子３と同様に弾性を有する導電性材料（例えば銅など）からなり、蛍光ランプ９’又は代替ランプ９のランプピン９１ａに接触して電力を供給する給電端子片４ａと、前後方向において移動自在に設けられて、受電用端子５又は受電用端子６の何れか一方に接触するスイッチ片（スイッチ部）４ｂとが一体に折曲形成されている。そして、給電端子片４ａの後面側にはばね体７が取り付けられており、このばね体７のばね反力によって前方に弾性力が加えられた状態に配置されている。また、スイッチ片４ｂの後面側にはばね体８が取り付けられており、このばね体８のばね反力によって前方に弾性力が加えられた状態に配置されている（ともに図２（ｂ）参照）。
【００１９】
受電用端子５，６は給電用端子３，４と同様に弾性を有する導電性材料（例えば銅など）からなり、上述のスイッチ片４ｂが接触することによって給電端子片４ａに電力を供給する。ここにおいて、図４（ａ）に示すように、受電用端子５は蛍光ランプ９’に高周波電力を供給する電源回路ＰＳ１の出力端に接続されており、スイッチ片４ｂが受電用端子５に接触した状態では、蛍光ランプ９’の一端側の口金９１が給電用端子３，４を介して電源回路ＰＳ１に接続される。そして、蛍光ランプ９’の両端の口金９１，９１がそれぞれ対応するランプソケットＡ，Ａに装着されると、電源回路ＰＳ１から高周波電力が供給され、蛍光ランプ９’が点灯するのである。
【００２０】
また、受電用端子６は代替ランプ９に所定の電力（代替ランプ９がＬＥＤランプである場合には直流電力）を供給する電源回路ＰＳ２の出力端に接続されており、スイッチ片４ｂが受電用端子６に接触した状態では、代替ランプ９の一端側の口金９１が給電用端子３，４を介して電源回路ＰＳ２に接続され、直流電力が供給される。なお、本実施形態の代替ランプ９では、一端側の口金９１に設けられた２本のランプピン９１ａ，９１ａを介して直流電力が供給されるが、発光管９０の両側の口金９１，９１にそれぞれ設けられたランプピン９１ａ，９１ａを介して直流電力が供給されるようになっていてもよい。
【００２１】
なお、蛍光ランプ９’及び代替ランプ９の何れもが接続されていない状態では、スイッチ片４ｂは前方に弾性力が加えられた状態にあることから、スイッチ片４ｂと受電用端子５とが接触した状態にある。ここに、本実施形態では、給電用端子３，４及び受電用端子５により第１の給電経路が構成され、給電用端子３，４及び受電用端子６により第２の給電経路が構成されている。
【００２２】
図２（ａ）は本実施形態のランプソケットＡを組み立てた状態の外観斜視図であり、このときプランジャ２は、両給電用端子３，４を介してばね体７，７から加えられる弾性力によって前方に押された状態にある。つまり、プランジャ２の外鍔２２が、カバー本体１１の挿通孔１１ｃの開口端縁に当接した状態にある。またこのとき、給電用端子３の給電端子片３ａ及び給電用端子４の給電端子片４ａは、それぞれプランジャ本体２１のピン挿通孔２１ａ，２１ａを臨んだ状態に配置される。そして、この状態から、ばね体７，７のばね反力に抗してプランジャ２を後方に押すことで、プランジャ本体２１を所定量だけケース１内に押し込むことが可能になる。ここに、本実施形態では、プランジャ２、給電用端子３，４及び受電用端子５，６により口金受け部が構成されている。
【００２３】
ここで、図３は本実施形態で用いられる代替ランプ９の一部省略した外観斜視図である。この代替ランプ９は、左右方向に延長された直管形の発光管９０と、発光管９０の長手方向両端部にそれぞれ設けられた口金９１（図３では一方の口金のみ図示）とで構成され、従来周知の蛍光ランプ９’と外形寸法（ランプの長さ寸法及び口金のランプソケットへの取付部分に係る寸法）が同寸法に形成されている。また、各口金９１の端面には一対のランプピン９１ａ，９１ａが設けられるとともに、上記のスイッチ片４ｂを押圧する識別ピン（突起部）９１ｂが設けられている。そして、発光管９０の内部には、複数のＬＥＤ（発光ダイオード）が実装された基板（図示せず）が収納されており、各ＬＥＤが発光することによってＬＥＤランプ９が点灯するのである。なお、蛍光ランプ９’の外観形状については、口金９１に識別ピン９１ｂが設けられていないこと以外は代替ランプ９と同様であるから、ここでは説明を省略する。
【００２４】
次に、本実施形態のランプソケットＡの動作について図４及び図５に基づいて説明する。まず、図４（ａ）及び図５（ａ）は、蛍光ランプ９’をランプソケットＡに装着する前の状態であり、このとき給電用端子４のスイッチ片４ｂは、ばね体８のばね反力によって前方に弾性力が加えられているため、受電用端子５に接触した状態にある。この状態から蛍光ランプ９’をランプソケットＡに装着すると、図４（ｂ）及び図５（ｂ）に示すように、各ランプピン９１ａ，９１ａがそれぞれ給電用端子３，４に接触する。このとき、蛍光ランプ９’には識別ピン９１ｂが設けられていないため、スイッチ片４ｂが後方に押されることなく、スイッチ片４ｂと受電用端子５とが接触した状態を維持している。したがって、この場合、電源回路ＰＳ１に接続された給電用端子３，４及び受電用端子５を介して、電源回路ＰＳ１から高周波電力がランプピン９１ａ，９１ａに供給されるのである。
【００２５】
一方、代替ランプ９をランプソケットＡに装着すると、同様にして各ランプピン９１ａ、９１ａがそれぞれ給電用端子３，４に接触する（図４（ｃ）及び図５（ｃ）参照）。このとき、口金９１に設けられた識別ピン９１ｂによってスイッチ片４ｂが後方（図４（ｃ）及び図５（ｃ）中のＸ方向）に押されるため、スイッチ片４ｂが受電用端子５から離れ、受電用端子６に接触した状態になる。したがって、この場合、電源回路ＰＳ２に接続された給電用端子３，４及び受電用端子６を介して、電源回路ＰＳ２から直流電力がランプピン９１ａ，９１ａに供給されるのである。
【００２６】
次に、図６は本実施形態のランプソケットＡを用いた照明器具Ｂの一例を示す外観斜視図である。この照明器具Ｂは、代替ランプ９又は蛍光ランプ９’の何れかが装着される一対のランプソケットＡ，Ａと、上記の電源回路ＰＳ１，ＰＳ２が内蔵された縦長矩形箱状の器具本体１００とを備え、各ランプソケットＡは、機能面を対向させるようにしてそれぞれ器具本体１００の長手方向両端部に取り付けられる。そして、この照明器具Ｂは、例えば天井面などの造営面に取り付けられ、室内などを照明する目的で使用される。
【００２７】
而して、本実施形態によれば、蛍光ランプ９’が装着された場合には給電用端子３，４及び受電用端子５（第１の給電経路）を介して高周波電力が蛍光ランプ９’に供給され、代替ランプ９が装着された場合には識別ピン９１ｂによってスイッチ片４ｂが後方に押されることで給電経路が給電用端子３，４及び受電用端子６（第２の給電経路）に切り替えられて、所定の直流電力が代替ランプ９に供給されるので、従来例のようにランプごとにランプソケットを交換しなくてもよく、蛍光ランプ９’及び代替ランプ９の双方に対応可能なランプソケットＡを提供することができる。また、従来例のようにランプに応じてランプソケットを交換しなくてもいいことから、作業時間を短縮することができ、さらに接続されるランプに応じて給電経路が自動的に切り替えられることから、不点灯などの不具合を抑えることができる。また、本実施形態のランプソケットＡを用いることによって、蛍光ランプ９’及び代替ランプ９の双方に対応可能な照明器具Ｂを提供することができる。
【００２８】
なお、本実施形態では、代替ランプ９がＬＥＤランプの場合について説明したが、代替ランプ９はＬＥＤランプに限定されるものではなく、他のランプであってもよい。この場合、接続されるランプに対応する点灯電力が給電用端子３，４を介して供給されるようにすればよい。
【符号の説明】
【００２９】
３  給電用端子
４  給電用端子
４ｂ  スイッチ片（スイッチ部）
５  受電用端子
６  受電用端子
９  代替ランプ
９’  蛍光ランプ
９１ａ  ランプピン
９１ｂ  識別ピン（突起部）
Ａ  ランプソケット
【図１】
2011204388.tif 000003
【図２】
2011204388.tif 000004
【図３】
2011204388.tif 000005
【図４】
2011204388.tif 000006
【図５】
2011204388.tif 000007
【図６】
2011204388.tif 000008